(57)【要約】  車両の開放リーフ（２２）のためのロック装置（２）であって、少なくとも１つの上流メンバ（６０）と、少なくとも１つのスプリング（１６２）と、開放リーフの開扉を駆動することができる、少なくとも１つの下流メンバ（６４）とを備えている。スプリングは、運動学的チェーンに関して、上流メンバと下流メンバとの間に直列に延在し、この運動学的チェーンに沿って、上流メンバから下流メンバに、開放リーフを開扉する命令が伝達される。【選択図】図１
2013513046.tif 000002
【特許請求の範囲】
【請求項１】
車両開放リーフ（２２）のための開扉装置（２）であって、
−少なくとも１つの上流メンバ（６０、３４）と、
−少なくとも１つのスプリング（１６２、２６２）と、
−前記開放リーフの開扉を命令するようになっている、少なくとも１つの下流メンバ（６４、３６）とを備え、
前記スプリングは、前記上流メンバから下流メンバに前記開放リーフを開扉するように命令を伝達するための運動学的チェーンに関して、前記上流メンバと下流メンバとの間に直列に存在していることを特徴とする装置。
【請求項２】
前記上流メンバ（６０、３４）は、前記開扉命令を前記下流メンバ（６４、３６）に、前記１つまたは複数のスプリング（１６２、２６２）だけを介して伝達するようになっていることを特徴とする、請求項１に記載の装置。
【請求項３】
前記上流メンバ（６０、３４）は、直接に前記下流メンバ（６４、３６）を押圧して前記開扉命令を前記下流メンバ（６４、３６）に伝達するようになっていることを特徴とする、請求項１または２の少なくともいずれか１項に記載の装置。
【請求項４】
前記スプリング（１６２、２６２）または少なくとも前記スプリングの中の１つは、前記システムの２つの回転レバー（６０、６４、３４、３６）の間にあることを特徴とする、請求項１〜３の少なくともいずれか１項に記載の装置。
【請求項５】
前記スプリング、または少なくとも前記スプリングの中の１つは、前記開放リーフの外部把手（３０）だけから命令可能な、前記運動学的チェーンの一部の中にある
ことを特徴とする、請求項１〜４のいずれか１項に記載の装置。
【請求項６】
把手（４、３０）と第１の回転レバー（６０）との間の前記スプリング、または少なくとも前記スプリングの中の１つは、前記運動学的チェーンの中の前記把手の後にあることを特徴とする、請求項１〜５の少なくともいずれか１項に記載の装置。
【請求項７】
前記スプリング（１６２）または少なくとも前記スプリングの中の１つは、ロック装置のケーブル（８）の上流にあることを特徴とする、請求項１〜６の少なくともいずれか１項に記載の装置。
【請求項８】
前記スプリング（１６２）または少なくとも前記スプリングの中の１つは、ロック装置のケーブル（８）の上流にある前記システムの２つのレバー（６０、６４）の間にあることを特徴とする、請求項１〜７の少なくともいずれか１項に記載の装置。
【請求項９】
前記スプリングまたは少なくとも前記スプリングの中の１つは、ロック装置のケーブルの２つのセクションの間にあることを特徴とする、請求項１〜８の少なくともいずれか１項に記載の装置。
【請求項１０】
前記スプリングまたは少なくとも前記スプリングの中の１つは、ロック装置のケーブルの下流にあることを特徴とする、請求項１〜９の少なくともいずれか１項に記載の装置。
【請求項１１】
ロック装置を備え、前記スプリング（２６２）または少なくとも前記スプリングの中の１つは、前記ロック装置のクラッチレバー（３６）と前記クラッチレバーの上流にある、前記ロック装置のレバー（３４）との間にあることを特徴とする、請求項１〜１０の少なくともいずれか１項に記載の装置。
【発明の詳細な説明】
【技術分野】
【０００１】
本発明は、車両の開放リーフのロック装置に関する。
【背景技術】
【０００２】
車両の開放リーフのロック装置は、通常は、多くのパーツを備え、これらは、例えば、車両の内部から、または外部から開放リーフの開扉を可能にする機構である。これらの機構の中で、外部および内部の把手は、中間レバーを回転駆動することができ、この中間レバーは、ダミー爪を押圧して、ボルトをロック装置の保持金具（キーパ）から引き離すことにより、開放リーフを解放するようになっている。
【０００３】
開扉操作の際には、ユーザは、把手のうちの１つを動かすように、力を加える。この力の強さは、非常に急速に増加し、その後、爪がボルトを解放し、ボルトが保持金具を解放すると、すぐに減少する。この力の変化の曲線は、スパイクのようであり、感じられる感触は、インパクトのようである。この上昇する強さの変化は、パーツがいくつかの数のデッドストロークを移動するように駆動し、その後、機構のリターンスプリングによって生ずる力を克服し、最後に、最も強い力を加えて爪を解放し、それにより、保持金具からボルトを解放しなければならないという事実によって説明される。しかしながら、このインパクトの感触は、それが通常であるとしても、あまり感じの良いものではない。
【先行技術文献】
【特許文献】
【０００４】
【特許文献１】欧州特許第１１５８１２４号明細書
【発明の概要】
【課題を解決するための手段】
【０００５】
本発明の目的は、ユーザが開放リーフを開扉するときの快適さを改善することである。
【０００６】
この目的のために、本発明は、車両開放リーフのための開扉システムであって、次に示すパーツを備えることを特徴としている。これらは、
−  少なくとも１つの上流メンバと、
−  少なくとも１つのスプリングと、
−  開放リーフの開扉を命令するようになっている、少なくとも１つの下流メンバとであり、また、上流メンバから下流メンバに開放リーフを開扉する命令を伝達するための運動学的チェーンに関して、上流メンバと下流メンバとの間に、直列にスプリングが存在している。
【０００７】
従って、ユーザが把手を操作するときには、爪が操作される前に力が加えられ、その力の一部は、直列に挿入されたスプリングに荷重をかけることに費やされる。従って、スプリングの存在は、開扉の動作の際に、事前に大きな力を加えなければならないことを意味する。従って、ユーザは、上記で述べた従来技術と比較して、より迅速に力を増加させなければならない。力の強さを増加させる時間にわたって、より大きな力が広がって行くことになる。この力の強さは、ランプ（ｒａｍｐ）の形状をした力である。加えられるべき最後の力は、このように、実質的に同じではあるが、最終に至る道のりは、より早く開始され、把手の操作にスパイクまたはインパクトを経験するのではなくて、より早期から、またより正常な力の強さの増加を経験することになる。これによって、操作は、より快適になる。
【０００８】
装置は、上流メンバが、１つまたは複数のスプリングだけを介して、下流メンバに対して開扉命令を伝達する装置であることが望ましい。
【０００９】
従って、力は、スプリングだけを介して伝達され、メンバ間の直接接触ではなく、運動学的チェーンの中に配置されたスプリングによって伝達される。スプリングに、適当な量の荷重がかけられると、スプリングは、その上流端で受け取る力を、下流メンバに伝達する（力の平衡によって）。
【００１０】
ある実施形態では、装置は、上流メンバが直接に下流メンバを押圧して、開扉命令を下流メンバに伝達できるように構成される。
【００１１】
従って、通常の動作では、スプリングに荷重を加える操作は、単に、開放リーフの開扉を命令するために、各パーツを接触させて、片方から他方に荷重を直接に伝達することの事前の操作であると考えることができる。またこれは、早期に、漸次に増加する力を生成する。しかしながら、このような動作は、劣化モードと呼ばれる状態になっても、保持されていることが望ましい。この劣化モードとは、例えば、上記で述べた実施形態のシステムではあるが、スプリングが疲労して、自分では荷重を、１つのパーツから他のパーツに伝達することができない場合、または、特に、衝突の後に開扉しようとする場合のように、非常に強い力を爪片に加える必要がある、待ち受けモードの状況である。
【００１２】
代替として、または追加として、１つのスプリング、または複数のスプリングの中の少なくとも１つスプリングを、
−  ロック装置の２つの回転レバーの間、
−  開放リーフの外部把手だけから命令可能な運動学的チェーンの１つのパーツの中、
−  把手と、運動学的チェーンの中で把手に続いた第１の回転レバーとの間、
−  ロック装置のケーブルの上流、
−  ロック装置のケーブルの上流にある２つのレバーの間、
−  ロック装置のケーブルの２つのセクションの間、
−  ロック装置のケーブルの下流、および
−  ロック装置のクラッチレバーとクラッチレバーの上流にあるロック装置のレバーのところに設けることができる。
【００１３】
本発明の他の特徴および利点は、限定的でない例として示す、以下の２つの実施形態、およびその変形の記述、また添付の図面を参照することにより、明らかになると思う。
【図面の簡単な説明】
【００１４】
【図１】本発明の第１の実施形態におけるロック装置の部分的な透視図である。
【図２】このロック装置の２つのパーツの構成を示す図であり、この２つのパーツの間にスプリングが配置されている。
【図３】図１のロック装置の運動学的チェーンを示す図である。
【図４】図１のロック装置の開扉操作の際に、ユーザによって加えられる力の強さ変化の一般的な曲線を、把手のストロークの関数として示す図である。
【図５】図４と同様の図である。
【図６】本発明の第２の実施形態におけるロック装置の部分的な透視図である。
【図７】図６のロック装置に関する、図３と同様の図である。
【図８】図６のロック装置に関する、図５と同様の図である。
【発明を実施するための形態】
【００１５】
図１および図２を参照して、本発明の第１の実施形態における自動車の開放リーフ２２のロック装置２を説明する。開放リーフは、例えば、ドアである。以下で述べるロック装置のいくつかのパーツは、一般的なタイプであり、従って、詳細な記述、および／または詳細な説明は行わない。ロック装置のいくつかの側面の詳細な説明に関しては、例えば、本出願人の名前による特許文献１を参照されたい。
【００１６】
この装置は、次に示すメンバを備えている。これらのメンバは、以下にリストした順序で、互いに連続して動作し、開放リーフを開扉するように命令を伝達するようになっている。これにより、運動学的チェーンが形成される。これらは、
−  開扉把手４、
−  伝達レバー６０、
−  開扉スプリング１６２、
−  出力レバー６４、
−  内部開扉ケーブル８、
−  機構６６、および
−  保持金具（キーパ）１８。
【００１７】
第２の実施形態の機構６６は、次に示す要素を含んでいる。これらの要素の例は、次の如くである。
−  中間開扉レバー１０、
−  ダミー爪１２、
−  爪１４、および
−  保持金具１８と共同で動作するように意図されているボルト１６。
【００１８】
図３は、運動学的チェーンの先頭のところで把手４を起動しているユーザの手６８を示す。
【００１９】
２つのレバー６０および６４は、開放リーフ２２のフレーム２０に対して、共通回転軸６８の周りに回転するようにマウントされている。軸６８は、各レバーの近位の端の近くに位置している。レバー６０の末端７０は、直接に把手４と共同して動作し、レバー６４の末端７２は、直接にケーブル８の端子と協動して動作する。
【００２０】
軸６８は、シャフト７４とされている。シャフト７４は、２つのレバー６０および６４を、軸６８の縦方向に並べて貫通している。この方向に、２つのレバーの間に、スプリング１６２が配置され、スプリング１６２は、ここでは、トーションコイルスプリングであり、従って、１つのヘリコイダル中央部分７６、および２つの直線エンドブランチ７８を備えている。図１には、その中の１つだけが示されている。ブランチ７８は、レバー７０の突起６９を軸６８の周囲方向に押圧している。同様に、スプリングのもう一方の端は、レバー７２の突起を周囲方向に押圧している。しかし、レバー７０に関連した押圧方向とは反対の方向である。従って、スプリング１６２は、２つのレバーを互いに反対の方向に回転させようとする。これにより、両方向矢印８０に示すように、それらを反対の方向に引き離すように移動させる。
【００２１】
２つのレバーは、それぞれ突起８２および８４を有しており、レバーが、スプリング１６２によって生ずる復元力に互いに逆らって移動するときに、それらは、互いに周囲方向に接触するようになっている。
【００２２】
開放リーフは、次に示す様式で開扉される。
【００２３】
ユーザの手６８が把手４を起動させて、伝達レバー６０を、軸６８の周りに図１の中の矢印８０の方向に回転させ、伝達レバー６０を出力レバー６４に向かって移動させると仮定する。レバー６０の操作の最初は、スプリング７６に荷重がかけられるように働き、スプリング７６のブランチ７８は、最初は、もう一方のブランチの方向に向かって動かされ、レバー６４は動かされない。把手の上の荷重が、スプリングの中に十分な荷重を生成していない限り、レバー６４は移動せずにいる。運動のこの段階は、図４に示す曲線のセクション４８で示されている。このセクションにわたって、ユーザによって加えられる力の強さは、把手のストロークの関数として規則的に増加し、その強さは、レバー６４の移動を可能にするレベルに到達する。セクション４８は、スプリング１６２がエネルギーを蓄える段階に対応しており、増加する力のランプを形成している。
【００２４】
この段階で、曲線の第２のセクション５０が開始し、スプリング１６２には、運動学的チェーンの下流部分の機械的抵抗力を超える強さの荷重が加えられる。従って、レバー６０は、軸６８の周りに同じ方向８０にレバー６４の回転を駆動する。従って、把手４の操作は、これらのパーツによってケーブル８に伝達され、さらに機構６６に伝達されて、保持金具１８からボルトが分離され、開放リーフの開扉が可能になる。図４の曲線のセクション５０は、開放リーフが開扉されるまでの操作のこの段階を示している。これは、実質的に一定の強さの力で行われている。この理由は、この目的のためにスプリングが選択されたからである。すなわち、適切な剛性があるので、このセクションにわたって、ユーザは、力の強さをそれほど高くする必要がないのである。
【００２５】
最後の５４の間に、爪はボルトからのロックが解放され、従って保持金具から解放されるので、力の強さは減少する。
【００２６】
この実施形態においては、スプリング１６２は、運動学的チェーンの中で、非常に上流にあって、効率の損失に対する影響を低減することが可能になる。また、いくつかのパーツの運動のデッドストロークによって引き起こされるプラトーの段階を低減させることもできる。
【００２７】
図５は、従来技術のロック装置に対する実験結果から導出された曲線５６を示す。直線セグメント１５８は、図１のロック装置と比較して得られた平滑化を示している。直線セグメント１５８は、ロック装置が生成する力の強さの平滑効果に加えて、水平方向に対する傾きが僅かだけであるということが分かる、従って、セクション４８の中で、力の増加は、早期から、また規則的であり、さらに比較的にゆるやかである。
【００２８】
劣化モードは、スプリング１６２が自分自身では十分に機能しないことが分かった場合である。これは、例えば、材料の過度な疲労によって、または、予期しない抵抗の増加（例えば、衝突の後）によって、レバー６０からレバー６４への荷重の伝達は不十分になり、この場合には、レバー６０が動いて、突起８２を介してレバー６４の突起８４に接触する。この直接の押圧の関係によって、レバー６０によるレバー６４の動きが可能になる。しかし、スプリングには、荷重が加えられて、その後に２つのレバーを接触させなければならないので、やはり、力が増加するランプの部分は存在する。
【００２９】
本発明の第２の実施形態を、図６〜図８を参照して説明する。この場合には、システムは、次に示すメンバを備えている。これらは、以下にリストアップした順序で、互いに連続的に動作し、開放リーフを開扉する命令を伝達するようになっている。従って、次に示す運動学的チェーンを形成する。
−  開扉把手４、
−  内部ケーブル６、
−  内部開扉レバー８、
−  中間開扉レバー１０、
−  ダミー爪１２、
−  爪１４、
−  ボルト１６、および
−  保持金具１８。
【００３０】
把手４は、開放リーフ２２のフレーム２０に対して回転できるようにマウントされている。把手４は、ケーブル６を介して、内部開扉レバー８を起動し、内部開扉レバー８は回転できるようにマウントされている。内部開扉レバー８は、中間開扉レバー１０を起動し、中間開扉レバー１０もまた、フレーム２０に対して、軸２４の周りに回転できるようにマウントされている。ダミー爪１２および爪１４は、フレーム２０に対して、同じ軸の周りに回転できるようにマウントされている。しかし、互いに相対的に移動することができる。軸２４および２６は、互いに空間的に離れて平行に設置されている。
【００３１】
この装置はまた、次に示すメンバを備えている。これらは、以下にリストした順序で、互いに連続的に動作し、開放リーフを開扉する命令を伝達するようになっている。従って、次に示す運動学的チェーンを形成している。
−  外部把手３０、
−  外部ケーブル３２、
−  外部開扉レバー３４、
−  開扉スプリング２６２、および
−  クラッチレバー３６。
【００３２】
従って、外部把手３０は、ケーブル３２の一方の端に固定され、ケーブル３２の他方の端は、外部開扉レバー３４に固定されている。外部開扉レバー３４は、回転できるようにマウントされ、クラッチレバー３６を操作することができる。クラッチ３８は、運動学的チェーンの中で、クラッチレバー３６と中間開扉レバー１０との間に配置されている。クラッチ３８は、クラッチレバー３６によって中間レバー１０を操作することできるクラッチ接続構成と、またはクラッチレバーが中間レバーを操作できないクラッチ解除構成との２つの構成をとることができる。
【００３３】
運動学的チェーンの一部分で、要素４〜８から出発する一方の枝と、要素３０〜３６から出発する他方の枝とは、互いに異なっており、また互いに無関係である。それらは、それぞれ無関係に、中間開扉レバー１０を操作して、ボルト１６から爪１４を分離し、それにより、保持金具１８を解放し、従って開放リーフを開扉することができる。把手３０による操作を問題とする場合には、クラッチ３８は、クラッチ接続状態にあると考えることができる。
【００３４】
第１の実施形態におけるレバー６０および６４と全く同様に、レバー３４および３６は、支持構造２０に対して、共通な軸２４の周りに回転できるようにマウントされ、互いに相対的に移動することができる。スプリング２６２は、第１の実施形態におけるスプリング１６２と同様に、この場合もまた、軸２４の方向にある２つのパーツの間に配置され、エンドブランチを有し、このエンドブランチは、それぞれ２つのレバーを周回方向に押圧している。
【００３５】
動作は、第１の実施形態における場合と同じ原理に従っているが、この場合には、スプリング２６２は、第１の実施形態における場合と比較して、運動学的チェーンの中の更に下流にある。従って、ユーザが、手で外部把手３０を起動する場合に、ユーザがケーブル３２に引っ張り力を与えると、それにより、開扉レバー３４の軸２４の周りの回転が引き起こされる。この荷重は、連続的にスプリング２６２にエネルギーを与え、ユーザがかけた荷重がスプリングを経由してクラッチレバー３６に伝達されるまで、ユーザは力を増加させて、スプリングにエネルギーを与え続けなければならない。これは、図４のセクション４８の動きである。
【００３６】
運動が続けられている間に、把手の操作は、中間開扉レバー１０、ダミー爪１２、爪１４、およびボルト１６を含む全てのパーツを動かす。そして、クラッチ３８によってこの動きの伝達が可能になる。
【００３７】
図８には、次のことが示されている。すなわち、
−  従来技術のロック装置に関連した曲線５６、
−  セクション４８にわたる上記の曲線の直線セグメントの変化９０（水平方向に対して大幅に上昇している）、および
−  第２の実施形態におけるロック装置に対する実測値に対応した曲線２５６、およびそれに対応した直線セグメント２５８（直線セグメント９０と比較して水平方向に対する上昇はずっと小さい）。
【００３８】
これまでに述べたように、レバー３４および３６は、突起を有し、これにより、レバー３４および３６は、直接に互いに押圧し合うことができ、スプリングが、自分自身では必要な力を伝達できない場合でも、レバー３４は、レバー３６を直接に操作することができる。
【００３９】
これらの実施形態のそれぞれにおいて、ロック装置は、いくつかのパーツに対して、スプリング１６２および２６２とは独立して、１つ以上のリターンスプリングを備えている。これらのリターンスプリングは、運動学的チェーンの中に直列に挿入されてはいない。
【００４０】
本発明に対して多くの変形を行うことができ、これらは、本発明の範囲から逸脱するものではないことは言うまでもないと思う。スプリングは、必要に応じて、運動学的チェーンの中の異なる位置に設けることもできる。スプリングは、例えば、次のような位置に設けることもできる。
−  ロック装置の２つの回転レバーの間、
−  開放リーフの外部把手３０だけから命令することができる、運動学的チェーンのパーツの中、
−  運動学的チェーンの中の把手４、３０と第１の回転レバー８、３４との間で把手の後、
−  ケーブル６、３２の中の１つのケーブルの上流、
−  ケーブル６、３２の中の１つのケーブルの上流にあるロック装置の２つのレバーの間、
−  ケーブル６、３２の中の１つのケーブルの２つのセクションの間、
−  ケーブル６、３２の中の１つのケーブルの下流、
−  把手の可動部分の支柱と把手の可動部分の駆動レバーとの間で把手の中、
−  この駆動レバーの２つのブランチの間、および
−  クラッチレバー３６の上流で、クラッチレバー３６とレバー３４との間。
【００４１】
それぞれが運動学的チェーンの中に直列に配置された、少なくとも２つのスプリングを設けることもできる。
【００４２】
さらに、上記では、屈曲スプリングを使用するとして説明してきたが、他のタイプのスプリング、例えば、トーションスプリング、圧縮スプリング（リーフスプリングまたはコイルスプリング等）も、同様に使用することができる。
【符号の説明】
【００４３】
２  ロック装置
４  開扉把手
６  内部ケーブル
８  内部開扉ケーブル（内部開扉レバー）
１０  中間開扉レバー
１２  ダミー爪
１４  爪
１６  ボルト
１８  保持金具（キーパ）
２０  フレーム
２２  開放リーフ
２４、２６  軸
３０  外部把手
３２  外部ケーブル
３４  外部開扉レバー
３６  クラッチレバー
３８  クラッチ
４８  セクション４８
５０  セクション５０
５４  セクション５４
５６  従来技術の曲線
６０  伝達レバー
６４  出力レバー
６６  機構
６８  ユーザの手（共通回転軸）
６９  突起
７０  レバー６０の末端
７２  レバー６４の末端
７４  シャフト
７６  ヘリコイダル中央部分
７８  直線エンドブランチ
８０  方向を示す矢印
８２  レバー６０の突起
８４  レバー６４の突起
９０  従来のロック装置の直線セグメントの変化
１５６  従来のロック装置の曲線
１５８  平滑化した曲線
１６２  開扉スプリング
２５６  第２の実施形態における実測曲線
２５８  曲線２５６に対応した直線セグメント
２６２  開扉スプリング
【図１】
2013513046.tif 000003
【図２】
2013513046.tif 000004
【図３】
2013513046.tif 000005
【図４】
2013513046.tif 000006
【図５】
2013513046.tif 000007
【図６】
2013513046.tif 000008
【図７】
2013513046.tif 000009
【図８】
2013513046.tif 000010
【国際調査報告】
2013513046.tif 000011
2013513046.tif 000012
2013513046.tif 000013
2013513046.tif 000014
2013513046.tif 000015
2013513046.tif 000016